(57)【要約】【課題】外壁材の背面全面に防水シートを貼付することなく、また、外壁材の小口面に複雑な加工を施すことなく、雨仕舞い性の優れた外壁の目地構造を提供すること。【解決手段】この発明の防水材付横目地材１は、外壁材１０が上下方向に隣接配設された部分の上下の外壁材９，１０間に配設される横目地材である。上下方向に突出して立上り部４ａ及び垂下部７ａを形成する防水材４，７が横目地材本体部２の背面に固定されて形成されている。このような横目地材１を用いて、上下方向に隣接配設する二つ以上の外壁材１０Ａ、１０Ｂを固定すると、下側の外壁材１０Ａの背面１０ｂから立ち上がって防水材４，７が接合され、その防水材４，７の立上り部４ａに、上側の外壁材１０Ｂの背面１０ｂが接合される。【選択図】  図１
2006083553.tif 000002
【特許請求の範囲】
【請求項１】
外壁材が上下方向に隣接配設された部分の上下の外壁材間に配設される横目地材であっ
て、
上下方向に突出して立上り部及び垂下部を形成する防水材が横目地材本体部の背面に固
定されて形成されていることを特徴とする防水材付横目地材。
【請求項２】
請求項１記載の防水材付横目地材を用いて下側外壁材の上辺小口面に該横目地材本体部
を貼付するとともに前記外壁材の背面に前記垂下部を貼付する横目地材貼付工程、
該防水材付横目地材が貼付された前記外壁材を外壁取付用間柱間の下方の所定位置に固
定する第１の固定工程、
前記外壁材とは異なる他の上側外壁材を前記防水材付横目地材の上方に配設しつつ上側
外壁材を前記外壁取付用間柱間に固定する第２の固定工程、
を含むことを特徴とする外壁材の固定方法。
【請求項３】
前記第２の固定工程は、上側外壁材を前記横目地材本体部の上方から圧接して下方に位
置する外壁材と共に前記横目地材本体部を圧縮しつつ上側外壁材を前記外壁取付用間柱間
に固定することを特徴とする請求項２記載の外壁材の固定方法。
【請求項４】
上下方向に隣接配設する二つ以上の外壁材を固定した外壁材固定構造であって、
下側の外壁材の背面上端部から立ち上がって防水材が接合され、
該防水材の立上り部に、上側の外壁材の背面下端部が接合されていることを特徴とする
外壁材固定構造。
【請求項５】
前記上下の外壁材間には防水材に固定された横目地材本体部が圧縮されて配設されてい
ることを特徴とする請求項４記載の外壁材固定構造。
【発明の詳細な説明】
【技術分野】
【０００１】
本発明は、防水材付横目地材、該防水材付横目地材を用いた外壁材の固定方法及び外壁
材固定構造に関する。
【背景技術】
【０００２】
従来から、建物の天井梁と床梁との間に立設されるスタッド間に壁パネルを固定するこ
とが行われている（例えば、特許文献１参照。）
ここで、壁パネルとして、例えば、外壁材のような壁パネルを用いる場合には、全外壁
材を１枚の外壁材としてスタッド間に固定するのは、重量などに起因して作業性が悪いの
で、二人の作業者で容易に取り扱える大きさに外壁材を上下方向に分割して施工すること
が提案されている（例えば、特許文献２及び３参照。）。ここで、一枚の外壁材を上下に
分割配設して固定する場合には、相互の外壁材が隣接配設される目地から、雨水が浸入す
ることを防止するための雨仕舞いが必要である。
【０００３】
このため、特許文献２で提案されている外壁材の固定構造では、外壁材の小口面を特殊
な固定金具に合致するように形成することにより、風荷重による浮き上がり防止と雨仕舞
性の確保を図っている。また、特許文献３で提案されている窯業系外壁材の取付構造では
、その図１により明らかなように外壁材と外壁材が固定される柱などの構造体との間の全
面には防水シートが貼られている。
【特許文献１】特開昭６１−５１４２号公報
【特許文献２】実開平５−５９７１号公報
【特許文献３】実用新案登録第２５４３２７５号公報
【発明の開示】
【発明が解決しようとする課題】
【０００４】
しかしながら、外壁材として、タイル貼りや重厚感のある外壁材を施工する場合には、
外壁材自体が重いため、取り扱い性が悪く、施工後の外壁材に割れや欠けなどが発生する
ことがあった。
【０００５】
特許文献２で提案されている外壁材の上下分割固定構造では、特殊な固定金具に合致し
て外壁材の小口面を加工する必要があるので、加工が複雑となり、また、取付施工中には
外壁材の小口面を破損するなどの課題点がある。
【０００６】
また、特許文献３で提案されている窯業系外壁材の取付構造では、構造体１の表面に防
水シートを貼ることにより雨仕舞いをしていたため、防水シートを貼るための下地材が必
要であった。
【０００７】
そこで、この発明は、外壁材の背面全面に防水シートを貼付することなく、また、外壁
材の小口面に複雑な加工を施すことなく、雨仕舞い性の優れた外壁の目地構造を提供する
ことを目的とする。
【課題を解決するための手段】
【０００８】
上記の課題を解決するため、本発明者等が検討したところ、横目地材の背面にシート状
の防水材を上下方向に突出して立上り部及び垂下部を形成させ、このような横目地材を用
いて外壁材を上下方向に固定すれば、横目地材の背部の上下の外壁材に跨って横目地材に
固定された防水材が配設できるので、外壁材の上下端部の複雑な加工及び外壁材の背面の
全面に防水シートを配設しなくても雨仕舞いができることを認め本発明に到達した。
【０００９】
すなわち、請求項１に記載の発明は、外壁材が上下方向に隣接配設された部分の上下の
外壁材間に配設される横目地材であって、上下方向に突出して立上り部及び垂下部を形成
する防水材が横目地材本体部の背面に固定されて形成されていることを特徴とする防水材
付横目地材である。
【００１０】
請求項２記載の発明は、請求項１記載の防水材付横目地材を用いて下側外壁材の上辺小
口面に前記横目地材本体部を貼付するとともに前記外壁材の背面に前記垂下部を貼付する
横目地材貼付工程、該防水材付横目地材が貼付された前記外壁材を外壁取付用間柱間の下
方の所定位置に固定する第１の固定工程、前記外壁材とは異なる他の上側外壁材を前記防
水材付横目地材の上方に配設しつつ上側外壁材を前記外壁取付用間柱間に固定する第２の
固定工程、を含むことを特徴とする外壁材の固定方法である。
【００１１】
請求項３記載の発明は、前記第２の固定工程は、上側外壁材を前記横目地材本体部の上
方から圧接して下方に位置する外壁材と共に前記横目地材本体部を圧縮しつつ上側外壁材
を前記外壁取付用間柱間に固定することを特徴とする請求項２記載の外壁材の固定方法で
ある。
【００１２】
請求項４記載の発明は、上下方向に隣接配設する二つ以上の外壁材を固定した外壁材固
定構造であって、下側の外壁材の背面上端部から立ち上がって防水材が接合され、該防水
材の立上り部に、上側の外壁材の背面下端部が接合されていることを特徴とする外壁材固
定構造である。
【００１３】
請求項５記載の発明は、前記上下の外壁材間には防水材に固定された横目地材本体部が
圧縮されて配設されていることを特徴とする請求項４記載の外壁固定構造である。
【００１４】
請求項１記載の発明によれば、上下方向に突出して立上り部及び垂下部を形成する防水
材が横目地材本体部の背面に固定されて形成されているので、外壁材の背面全面に防水シ
ートを貼付することなく、また、外壁材の小口面に複雑な加工を施すことなく、雨仕舞い
性の優れた外壁の目地構造を施工できる防水材付横目地材が提供される。
【００１５】
請求項２記載の発明によれば、請求項１記載の防水材付横目地材を用いて下側外壁材の
上辺小口面に前記横目地材本体部を貼付するとともに前記外壁材の背面に前記垂下部を貼
付する横目地材貼付工程、該防水材付横目地材が貼付された前記外壁材を外壁取付用間柱
間の下方の所定位置に固定する第１の固定工程、前記外壁材とは異なる他の上側外壁材を
前記防水材付横目地材の上方に配設しつつ上側外壁材を前記外壁取付用間柱間に固定する
第２の固定工程、を行うことにより、外壁材の背面全面に防水シートを貼付することなく
、また、外壁材の小口面に複雑な加工を施すことなく、雨仕舞い性の優れた外壁の目地構
造を与える外壁材の固定方法が提供される。
【００１６】
請求項３記載の発明によれば、前記第２の固定工程は、上側外壁材を前記横目地材本体
部の上方から圧接して下方に位置する外壁材と共に前記横目地材本体部を圧縮しつつ上側
外壁材を前記外壁取付用間柱間に固定することにより、上下の外壁材間には防水材に固定
された横目地材が圧縮されて配設されていることにより、防水材の作用に加えて圧縮され
た横目地材の作用により、一層雨仕舞いが確実となる。
【００１７】
請求項４記載の発明によれば、上下方向に隣接配設する二つ以上の外壁材を固定した外
壁材固定構造であって、下側の外壁材の背面上端部から立ち上がって防水材が接合され、
該防水材の立上り部に、上側の外壁材の背面下端部が接合されている外壁材固定構造であ
るので、外壁材の背面全面に防水シートを貼付することなく、また、外壁材の小口面に複
雑な加工を施すことなく、雨仕舞い性の優れた外壁の目地構造が提供される。
【００１８】
請求項５記載の発明によれば、前記上下の外壁材間には防水材に固定された横目地材本
体部が圧縮されて配設されていることにより、上下の外壁材間には防水材に固定された横
目地材が圧縮されて配設されていることにより、防水材の作用に加えて圧縮された横目地
材の作用により、一層雨仕舞いが確実となる。
【発明の効果】
【００１９】
本発明によれば、外壁材の背面全面に防水シートを貼付することなく、また、外壁材の
小口面に複雑な加工を施すことなく、雨仕舞い性の優れた外壁の目地構造を提供すること
ができる。
【発明を実施するための最良の形態】
【００２０】
以下、この発明の最良の形態を図面に基づいて詳細に説明する。
【００２１】
先ず、図１は、この発明の最良の形態に係る外壁固定構造を断面により説明する図であ
り、図２は、このような外壁材固定構造を得るための横目地材１を外壁材に固定する横目
地材貼付工程を説明する図であり、図３は、横目地材１が貼付された外壁材（下パネル１
０Ａ）をスタッド間に固定する第１の固定工程を説明する図であり、図４は第１の固定工
程により固定された外壁材（下パネル１０Ａ）の上に他の外壁材（中パネル１０Ｂ）を固
定する第２固定工程を説明する図である。
【００２２】
本発明に係る横目地材１は、図２に示すように、長手方向に延びるシート状の横目地材
本体部２を有し、その前面２ａは外壁材１０の外表面と同色又は同系統色に化粧された化
粧面を有している。この横目地材本体部２の上下面には凹所２ｂ、２ｃがそれぞれ設けら
れている。上面の凹所２ｂには凹所２ｂの深さよりも厚い、適度な厚みを有する防水粘着
テープ３が貼着されている。
【００２３】
また、下面の凹所２ｃには、ポリプロピレン製シートなどの可撓性の防水性シートから
構成される水切り材４の一端４ｂが間に介在されて凹所２ｃの深さよりも厚い、適度な厚
みを有する防水粘着テープ５が貼着されている。好ましい実施の形態では、この防水粘着
テープ５の表面（下面）には離型紙６が貼着されている。
【００２４】
一方、この水切り材４の他端は、横目地材本体部２の後端から曲折して立設されて立上
り部４ａを形成している。この立上り部４ａの背面側には、ブチルテープなどの防水粘着
テープ７が貼着され、この防水粘着テープ７は横目地材本体部２よりも下方に垂れ下がっ
て垂下部７ａを形成している。好ましい実施の形態では、この垂下部７ａの表面側（外壁
材１０と接する側）には、離型紙８が貼着されている。
【００２５】
次に、横目地材１として離型紙６，８が貼付されている場合を例にして外壁材１０へ貼
付する工程について説明する。
【００２６】
離型紙６を引き剥がし、防水粘着テープ７面を外壁材１０の上辺小口面１０ｃに載置し
て位置決めを行う。離型紙８を引き剥がしつつ外壁材１０の背面８ｂに押し当てることに
より垂下部７ａが皺にならないように外壁材１０の背面１０ｂに貼り付ける。ついで、立
上り部４ａを外壁表面側に倒して、立上り部４ａの上から押圧することにより、防水粘着
テープ５を上辺小口面１０ｃに押圧して充分に圧着させる。
【００２７】
横目地材１は、位置決めの際に外壁材１０の端部に合わせて貼り合わされるが、一方の
端部に合わせると他方の端部から横目地材本体部２の余剰分が飛び出すことがあるが、飛
び出した場合には、外壁材１０への貼着後にはみ出した部分の横目地材本体部２のみを切
断する。
【００２８】
次に、外壁材をスタッドに取り付ける第１及び第２の固定工程について説明する。
【００２９】
以上のようにして横目地材１が貼付された外壁材１０は、図３及び図４に示すように、
下方に位置する外壁材１０（下パネル１０Ａ）をスタッド１１に固定する第１の固定工程
の後、上方に位置する外壁材１０（中パネル１０Ｂ）をスタッド１１に固定する第２の固
定工程に付される。ここで、この実施例の外壁材１０は、一つの外壁材１０を上、中、下
の３つに分割している図であり、図３は、外壁材１０としての下パネル１０Ａを、図４は
外壁材１０としての中パネル１０Ｂを取り付けている図である。不図示の上パネルを取り
付ける工程は第３の固定工程となるが、第２の固定工程と実質的に同一乃至は均等である
ので詳細な説明は省略している。
【００３０】
いずれの図においても、スタッド１１の表面には防水シートが貼付され、この防水シー
トの裏面のスタッド１１には、それぞれの位置に応じた複数の位置決め用の丸孔１１ａと
、複数の固定用の長孔１１ｂとが所定位置に穿設されている。
【００３１】
横目地材１が当たる部分の防水シートの表面に、図示のとおりスタッド１１の長手方向
に沿ってブチルコーキングなどのコーキング材１２を塗布する。
【００３２】
ついで、外壁材１０としての下パネル１０Ａを下方に位置する二つの丸孔１１ａにそれ
ぞれ位置決めしつつ、建物の内側からデイジーリベット１３，１３により取り付ける。固
定後の構造の詳細は図５に示されている。この図５において、符号１４は外壁材１０の背
面に固定されている取付金具であり、この取付金具１４には、リベット固定用の孔１４ａ
が穿設されている。
【００３３】
ついで、上方に位置する二つの長孔１１ｂに同様にしてデイジーリベット１３により建
物側から固定することにより第１の固定工程が終了する。
【００３４】
ついで、図４に示すように、上方に位置する外壁材１０としての中パネル１０Ｂを取り
付ける。上方に位置する中パネル１０Ｂの取付に際しては、下パネル１０の上辺小口面１
０に固定されている横目地材１を中パネル１０Ｂの下辺小口面１０ｄにより圧縮させつつ
固定させることが好ましい。これにより、間に介在される防水粘着テープ３及び５は、弾
性を有するか塑性変形することにより下パネル１０Ａ（上辺小口面１０ｃ）と上パネル１
０Ｂ（下辺小口面１０ｄ）との間に密着されて防水性を増大させる。
【００３５】
横目地材１の露出した両端部を適宜のコーキング材などにより封止することにより第２
の固定工程が終了して、概略、図１に示す外壁材固定構造が得られる。
【００３６】
この外壁材固定構造では、下パネル１０Ａと中パネル１０Ｂとが上下方向に隣接配設さ
れ、その間に横目地材１が挿嵌されている。この横目地材１の全面２ａは、化粧面とされ
、外壁材と同色であれば、外壁材の分割部が目立たなく、分割前と同等の意匠性を備える
ことができる。
【００３７】
また、下パネル１０Ａの背面１０ｂの上端部付近から防水材としての水切り材４が立ち
上がって立ち上がり部４ａを形成し、下パネル１０Ａの背面１０ｂと中パネル１０Ｂの背
面１０ｂとに跨って防水材としての防水粘着テープ７が接合されている。
【００３８】
これにより、上下方向に隣接配設する二つ以上の外壁材を固定した外壁材固定構造であ
って、下側の外壁材の背面上端部から立ち上がって防水材が接合され、該防水材の立上り
部に、上側の外壁材の背面下端部が接合されている外壁材固定構造を得ることができる。
【００３９】
そして、このような外壁固定構造では、外壁材の端部は特殊な形状とする必要が無く、
また、外壁材を固定するに先立って、防水材を全面に配設する必要がないという作用効果
を奏する。
【００４０】
また、中パネル１０Ｂを横目地材１の上方から圧接して下パネル１０Ａとの間で圧縮し
つつ中パネル１０Ｂをスタッド１１に固定すれば、横目地材１の上下に位置する外壁材（
下パネル１０Ａと中パネル１０Ｂ）間には防水材としての防水粘着テープ３及び５が圧縮
されて配設されていることにより、長期間に亘る防水効果を維持することができ、一層雨
仕舞いが確実となる。
【００４１】
以上、この発明の実施の形態を図面により詳述してきたが、具体的な構成はこの実施の
形態に限らず、この発明の要旨を逸脱しない範囲の設計の変更等があってもこの発明に含
まれる。
【図面の簡単な説明】
【００４２】
【図１】本発明に係る外壁材固定構造を説明する図である。
【図２】本発明に係る横目地材と横目地材を外壁材に固定する固定方法を説明する斜視図である。
【図３】図２で得られた横目地材が固定された外壁材をスタッドに固定する第１の固定工程を説明する図である。
【図４】図３の次に行われる第２の固定工程を説明する図である。
【図５】外壁材のスタッドへの固定構造の詳細を説明する断面図である。
【符号の説明】
【００４３】
１：横目地材
２：横目地材本体部
２ａ：前面
２ｂ：凹所
２ｃ：凹所
３：防水粘着テープ
４：水切り材
４ａ：立上り部
４ｂ：一端
５：防水粘着テープ
６：離型紙
７：防水粘着テープ
７ａ：垂下部
８：離型紙
９：外装材
１０：外壁材
１０Ａ：下パネル
１０Ｂ：中パネル
１０ｂ：背面
１０ｃ：上辺小口面
１０ｄ：下辺小口面
【図１】
2006083553.tif 000003
【図２】
2006083553.tif 000004
【図３】
2006083553.tif 000005
【図４】
2006083553.tif 000006
【図５】
2006083553.tif 000007